(57)【要約】【課題】記録再生装置において、情報記録媒体の収納部の扉開閉動作に関する品位的なトラブルを回避しつつ、コストダウンを可能にする。【解決手段】記録媒体を挿入口２２より挿入して収納する収納部２１が複数並設される記録再生装置２００に、挿入口２２を開閉するための扉部材２３と、扉部材２３を開閉させる扉部材開閉機構部２４と、各扉部材２３の開指示を行うための指示部２５とを備え、制御部３０により、指示部２５により一の扉部材２３の開指示がなされた場合に、この一の扉部材２３の開扉動作を実行するとともに、一定時間若しくはこの一の扉部材２３の開扉動作が終了するまでの間、他の扉部材２３の開扉動作を禁止するように扉部材開閉機構部２４を制御するようにした。【選択図】　　　図２
2004055029.tif 000002
【特許請求の範囲】
【請求項１】
記録媒体を挿入口より挿入して収納する収納部が複数並設される記録再生装置において、
一端部が支持体に回動軸を介して回動自在に連結され、前記挿入口を開閉するための扉部材と、
前記扉部材を開閉させる扉部材開閉機構部と、
各扉部材の開指示を行うための指示部と、
前記指示部により一の扉部材の開指示がなされた場合に、当該一の扉部材の開扉動作を実行するとともに、一定時間若しくは当該一の扉部材の開扉動作が終了するまでの間、他の扉部材の開扉動作を禁止するように前記扉部材開閉機構部を制御する扉部材開制御手段と、
を備えることを特徴とする記録再生装置。
【請求項２】
記録媒体を挿入口より挿入して収納する収納部が複数並設される記録再生装置において、
一端部が支持体に回動軸を介して回動自在に連結され、前記挿入口を開閉するための扉部材と、
前記扉部材を開閉させる扉部材開閉機構部と、
各扉部材の開閉指示を行うための指示部と、
前記指示部により一の扉部材の開閉指示がなされた場合に、当該一の扉部材の開閉扉動作を実行するとともに、一定時間若しくは当該一の扉部材の開閉扉動作が終了するまでの間、他の扉部材の開閉扉動作を禁止するように前記扉部材開閉機構部を制御する扉部材開閉制御手段と、
を備えることを特徴とする記録再生装置。
【請求項３】
前記扉部材開閉機構部は、
前記扉部材を開扉方向に付勢する付勢手段と、
前記扉部材を閉扉状態にロックするロック機構部と、を備え、
前記扉部材開制御手段は、
一の扉部材の開指示がなされた場合に、当該一の扉部材の前記ロック機構部をロック解除させるとともに、一定時間若しくは当該一の扉部材の開扉動作が終了するまでの間、他の扉部材における前記ロック機構部のロック解除を禁止させる制御を行うことを特徴とする請求項１に記載の記録再生装置。
【請求項４】
前記扉部材開閉機構部は、
モータの駆動軸に連結された第１ギアと、
前記第１ギアと咬合し、前記扉部材の前記回動軸に設けられた第２ギアと、を備え、
前記扉部材開閉制御手段は、
一の扉部材の開閉指示がなされた場合に、当該一の扉部材の前記モータを駆動させるとともに、一定時間若しくは当該一の扉部材の開閉扉動作が終了するまでの間、他の扉部材における前記モータの駆動を禁止する制御を行うことを特徴とする請求項２に記載の記録再生装置。
【請求項５】
前記収納部は筐体の上面部に設けられ、
前記扉部材は、上下方向に開閉動作するように構成されていることを特徴とする請求項１〜４の何れか一項に記載の記録再生装置。
【発明の詳細な説明】
【０００１】
【発明の属する技術分野】
本発明は、記録再生装置に関する。
【０００２】
【従来の技術】
従来、ＣＤ（Ｃｏｍｐａｃｔ　Ｄｉｓｋ）、ＭＤ（Ｍｉｎｉ　Ｄｉｓｋ）、カセットテープ、半導体メモリ等の記録媒体に記録されている情報を再生する記録再生装置がある。このような記録再生装置には、例えば、ＣＤとＭＤを各々に収納する収納部が並設されているものがあり、各々の収納部には、一端が支持体に回動自在に連結された扉部材が設けられている。そして、この扉部材の開閉機構としては、例えば、図３の（ａ）に示すねじりコイルバネ式のものと、図３（ｂ）に示すような電動ギア式のものがある。
【０００３】
図３（ａ）に示すねじりコイルバネ式の扉開閉機構を有する記録再生装置１００の収納部１１Ａ，１１Ｂは、筐体１０の天面部１０ａに並列して設けられ、各収納部１１Ａ，１１Ｂには挿入口１２Ａ，１２Ｂが備えられている。また、この挿入口１２Ａ，１２Ｂを覆う扉部材であるカバー１３Ａ，１３Ｂが、一端部を中心に回動自在に筐体１０に取り付けられており、カバー１３Ａ，１３Ｂには、開扉方向に付勢するねじりコイルバネ１４が取り付けられている。そして、カバー１３Ａ，１３Ｂが閉扉方向側に傾倒されると、カバー１３Ａ，１３Ｂの内面に設けられた鈎状の係止部材１５と、筐体１０に設けられた係止部材（図示省略）とが係合して閉扉状態となるようになっている。更に、筐体１０に設けられたボタン１６Ａ，１６Ｂが押下されることにより係合が解除され、カバー１３Ａ，１３Ｂがねじりコイルバネ１４による付勢力により開扉状態となる。また、カバー１３Ａ，１３Ｂの閉扉状態に、カバー１３Ａ，１３Ｂの回動軸（図示省略）が収納される凹状の軸受け１７が筐体１０に設けられ、閉時の衝撃を和らげるためのダンパギア１８が筐体１０に設けられている。
【０００４】
一方、図３（ｂ）に示す電動ギア式の扉開閉機構を有する記録再生装置２００の収納部２１Ａ，２１Ｂは、図３（ａ）と同様に、筐体２０の天面部２０ａに並列して設けられ、各収納部２１Ａ，２１Ｂには挿入口２２Ａ，２２Ｂが備えられている。また、この挿入口２２Ａ，２２Ｂを覆う扉部材であるカバー２３Ａ，２３Ｂが、一端部を中心に回動自在に筐体２０に取り付けられており、カバー２３Ａ，２３Ｂには、回動軸が取り付けられた歯車２４ａと、図示しないモータの駆動軸に取り付けられた歯車２４ｂが咬合するようになっている。そして、筐体２０に設けられたボタン２５Ａ，２５Ｂの押下に基づいて、歯車２４ａ，２４ｂを動かすモータの動作が制御され、カバー２３Ａ，２３Ｂの開閉動作が実行されるようになっている。
【０００５】
ところで、図３（ａ）に示す収納部１１Ａ，１１Ｂにおいては、二つのボタン１６Ａと１６Ｂとが略同時に押下された場合、本来同時に開くはずのカバー１３Ａと、カバー１３Ｂとは、バネ１４、ダンパギア１８、軸受け１７の寸法精度或いは重量精度等により、開くときの動作時間にばらつきが発生していた。同様に、図３（ｂ）に示す収納部２１Ａ，２１Ｂにおいても、歯車２４ａ，２４ｂの寸法精度、各構成部品の重量等により、カバー２２Ａ、２２Ｂの開閉時の動作時間にばらつきが生じていた。また、図３（ａ）、（ｂ）の双方に示す情報記録再生装置１００、２００において、それぞれの収納部１１Ａ、１１Ｂ、２１Ａ、２１Ｂのカバー１３Ａ，１３Ｂ、２３Ａ，２３Ｂに設けられたクランパＣの着磁力がそれぞれ異なるために、並列されたカバー１３Ａ，１３Ｂ、或いはカバー２３Ａ，２３Ｂの開閉時間にばらつきが生じる場合が少なくなく、見た目の体裁が悪いことから品位的なトラブルとなっていた。
【０００６】
そこで、従来はこのような品位的なトラブルを回避するべく、例えば、ダンパギア、バネ、軸受けの寸法、各構成部品の重量、歯車、モータ等のばらつきを生み出す要因となる部品の精度を上げる対策を行っていた。
【０００７】
【発明が解決しようとする課題】
しかしながら、上記のような対策では、部品製造コストがかかるという問題があった。
【０００８】
そこで、本発明の課題は、情報記録媒体の収納部の扉開閉動作に関する品位的なトラブルを回避しつつ、コストダウンが可能な記録再生装置を提供することである。
【０００９】
【課題を解決するための手段】
上記課題を解決するため、請求項１に記載の発明は、
記録媒体を挿入口より挿入して収納する収納部が複数並設される記録再生装置において、
一端部が支持体に回動軸を介して回動自在に連結され、前記挿入口を開閉するための扉部材と、
前記扉部材を開閉させる扉部材開閉機構部と、
各扉部材の開指示を行うための指示部と、
前記指示部により一の扉部材の開指示がなされた場合に、当該一の扉部材の開扉動作を実行するとともに、一定時間若しくは当該一の扉部材の開扉動作が終了するまでの間、他の扉部材の開扉動作を禁止するように前記扉部材開閉機構部を制御する扉部材開制御手段と、
を備えることを特徴とする。
【００１０】
請求項２に記載の発明は、記録媒体を挿入口より挿入して収納する収納部が複数並設される記録再生装置において、
一端部が支持体に回動軸を介して回動自在に連結され、前記挿入口を開閉するための扉部材と、
前記扉部材を開閉させる扉部材開閉機構部と、
各扉部材の開閉指示を行うための指示部と、
前記指示部により一の扉部材の開閉指示がなされた場合に、当該一の扉部材の開閉扉動作を実行するとともに、一定時間若しくは当該一の扉部材の開閉扉動作が終了するまでの間、他の扉部材の開閉扉動作を禁止するように前記扉部材開閉機構部を制御する扉部材開閉制御手段と、
を備えることを特徴とする。
【００１１】
請求項３に記載の発明は、請求項１に記載の記録再生装置において、
前記扉部材開閉機構部は、
前記扉部材を開扉方向に付勢する付勢手段と、
前記扉部材を閉扉状態にロックするロック機構部と、を備え、
前記扉部材開制御手段は、
一の扉部材の開指示がなされた場合に、当該一の扉部材の前記ロック機構部をロック解除させるとともに、一定時間若しくは当該一の扉部材の開扉動作が終了するまでの間、他の扉部材における前記ロック機構部のロック解除を禁止させる制御を行うことを特徴とする。
【００１２】
請求項４に記載の発明は、請求項２に記載の記録再生装置において、
前記扉部材開閉機構部は、
モータの駆動軸に連結された第１ギアと、
前記第１ギアと咬合し、前記扉部材の前記回動軸に設けられた第２ギアと、を備え、
前記扉部材開閉制御手段は、
一の扉部材の開閉指示がなされた場合に、当該一の扉部材の前記モータを駆動させるとともに、一定時間若しくは当該一の扉部材の開閉扉動作が終了するまでの間、他の扉部材における前記モータの駆動を禁止する制御を行うことを特徴とする。
【００１３】
請求項５に記載の発明は、請求項１〜４の何れか一項に記載の記録再生装置において、前記収納部は筐体の上面部に設けられ、
前記扉部材は、上下方向に開閉動作するように構成されていることを特徴とする。
【００１４】
【発明の実施の形態】
以下、この発明の実施例として、本発明に係る記録再生装置による記録媒体の収納部に設けられた扉の開閉動作の制御について、図面を参照して説明する。ここで、本発明における記録再生装置の機械的構造は、図３に示すものと略同一であるため、重複する構成については、図３（ｂ）に示す電動ギア式の扉の開閉機構を有する記録再生装置２００を一例として以下の説明を行う。即ち、カバー２３Ａ，２３Ｂは扉部材として、歯車２４ａ，２４ｂは扉部材開閉機構部、及び第１ギア、第２ギアとして、ボタン２５Ａ，２５Ｂは指示部として機能する。
また、この記録再生装置２００は、扉開閉動作を実行するため、図１のブロック図に示すように、制御部３０、信号入力部３１、モータ駆動部３２、及びモータ３３Ａ，３３Ｂ等を備えている。
【００１５】
制御部３０は、例えば、図示しないＣＰＵ、ＲＡＭ、ＲＯＭ等から構成され、ＲＯＭ（図示なし）に格納されたプログラムやデータ等を読み出してＲＡＭ（図示なし）へのデータの一時的な格納を行い、ＣＰＵ（図示なし）、各部の制御、データの転送、種々の演算を行う。
【００１６】
制御部３０は、例えば、扉部材開閉制御手段として、カバー２３Ａ、カバーＢの開閉に関する制御を行う。具体的には、例えば、開閉動作を指示する指示部としてのボタン２５Ａとボタン２５Ｂの双方が略同時、あるいは任意の所定の期間内に押下され、その入力信号が信号入力部３２に入力された場合、制御部３０は、一方のカバー２３Ａ（Ｂ）の開閉扉動作を実行し、一定時間経過した後に他方のカバー２３Ｂ（Ａ）の開閉扉動作を実行するように、モータ駆動部３２に指示信号を出力する。
より詳細には、制御部３０は、信号入力部３１より出力されたカバー２３Ａ及びカバー２３Ｂの開閉扉動作の指示入力信号を、制御部３０内のＲＡＭに格納する。そして、その入力信号に基づいて、一方のカバー（例えば、カバー２３Ａ）の開閉扉動作の指示信号をモータ駆動部３２に出力してモータ３３Ａを駆動させて、第１ギア、第２ギアとしての歯車２４ａ，歯車２４ｂを回動させて同カバー（例えば、カバー２３Ａ）の開閉扉動作を実行させると共に、他のカバー（例えば、カバー２３Ｂ）の開閉動作を一定時間実行できないように待ち時間設定を行う。そして、その待ち時間設定が終了後に、他方のカバー（例えば、カバー２３Ｂ）の開閉扉動作を実行させる。
【００１７】
信号入力部３１は、カバー２３Ａ，２３Ｂの開扉動作、または閉扉動作行うための開指示、または閉指示を指示するボタン２５Ａ，２５Ｂが操作者により押下されると、その入力信号を制御部３０に出力する。
【００１８】
モータ駆動部３２は、制御部３０からの開指示、あるいは閉指示の信号に従い、モータ３３Ａ、３３Ｂの動作を駆動する。また、モータ３３Ａが駆動すると、カバー２３Ａと収納部２１Ａとの接続部に設けられている歯車２４ａ，２４ｂが回動することによりカバー２３Ａの筐体１０側に固定された回転軸を中心にして、自由端が上下方向に円弧運動することにより、開扉動作、または閉扉動作が実行され、開扉状態、または閉扉状態となる。同様に、モータ３３Ｂが駆動すると、図示しない歯車が回転することにより、カバー２３Ｂの自由端が上下方向に移動することにより開閉する。
【００１９】
次に、上記のように構成された本発明にかかる記録再生装置におけるカバー２３Ａ，２３Ｂの開閉動作制御を、図２に示すフローチャートに沿って以下説明する。
【００２０】
まず、制御部３０は、ボタン２５Ａからカバー２３Ａを開くための開指示信号が信号入力部３１より入力されたか否かを判断する（ステップＳ１）。
そして、制御部３０は、ボタン２５Ａにより開指示信号が入力されたと判断した場合（ステップＳ１：Ｙｅｓ）には、ステップＳ２に移行し、ボタン２５Ａの入力がなかったと判断した場合（ステップＳ１：Ｎｏ）には、ステップＳ３に移行する。
【００２１】
次いで、制御部３０は、カバー２３Ａの開動作を要求する開要求フラグを発生し、制御部３０内のＲＡＭに一時格納する（ステップＳ２）。
【００２２】
次いで、ステップＳ３において、制御部３０は、カバー２３Ａの開要求フラグが有るか否かを判断し、開要求フラグがあると判断した場合（ステップＳ３：Ｙｅｓ）には、ステップＳ４に移行し、開要求フラグがないと判断した場合（ステップＳ３：Ｎｏ）には、ステップＳ７に移行する。
【００２３】
ステップＳ４において、制御部３０は、カバー２３Ａの開閉動作の待ち時間が設定されて動作中か否かを判断し、待ち時間設定の動作中であると判断した場合（ステップＳ４：Ｙｅｓ）には、ステップＳ７に移行し、待ち時間設定の動作中でないと判断した場合（ステップＳ４：Ｎｏ）には、ステップＳ５に移行する。
【００２４】
ステップＳ５において、制御部３０は、モータ駆動部３２にモータ駆動信号を出力し、モータ駆動部３２によりモータ３３Ａを回転させることにより歯車２４ａ，２４ｂを回動させてカバー２３Ａを上下方向に開く、開扉動作処理を実行すると共に、上記カバー２３Ａの開要求フラグをクリアする。
【００２５】
次いで、制御部３０は、カバー２３Ｂの開閉動作が一定時間できなくなるように、カバー２３Ｂの待ち時間設定する（ステップＳ６）。ここで、一定時間とは任意の時間であって、例えば、カバー２３Ａの開閉動作を終了させるのに十分な時間、あるいはカバー２３Ａ，２３Ｂの開閉動作のばらつきが目に付かないようにずらすことが可能な時間等である。
【００２６】
次いで、制御部３０は、ボタン２５Ｂからカバー２３Ｂの開閉動作を指示するための開指示信号が信号入力部３１より入力されたか否かを判断する（ステップＳ７）。そして、制御部３０は、ボタン２５Ｂから開指示信号が入力されたと判断した場合（ステップＳ７：Ｙｅｓ）には、ステップＳ８に移行し、ボタン２５Ｂから開指示信号が入力されていないと判断した場合（ステップＳ７：Ｎｏ）には、ステップＳ９に移行する。
【００２７】
ステップＳ８において、制御部３０は、ステップＳ２と同様に、カバー２３Ｂの開要求フラグを生成してＲＡＭ内に格納しておく。
次いで制御部３０は、カバー２３Ｂの開要求フラグがＲＡＭにあるか否かを判断し（ステップＳ９）、開要求フラグがあると判断した場合（ステップＳ９：Ｙｅｓ）には、ステップＳ１０に移行し、開要求フラグがないと判断した場合（ステップＳ９：Ｎｏ）には、再び、ステップＳ１に戻る。
【００２８】
ステップＳ１０において、制御部３０は、カバー２３Ｂに待ち時間が設定され、その動作中であるか否かを判断し、待ち時間設定の動作中であると判断した場合（ステップＳ１０：Ｙｅｓ）には、再びステップＳ１に戻る。一方、制御部３０は、カバー２３Ｂの待ち時間設定が行われていないと判断した場合（ステップＳ１０：Ｎｏ）には、ステップＳ１１に移行する。ここで、カバー２３Ｂの開閉動作の待ち時間設定の動作中である場合には、ボタン２５Ｂの入力が、ボタン２５Ａが入力されてから一定期間内である場合である。
【００２９】
ステップＳ１１において、制御部３０は、カバー２３Ｂを開くための駆動信号をモータ駆動部３２に出力して、モータ３３Ｂを駆動させて図示しない歯車によりカバー２３Ｂの開動作を実行させ、更にＲＡＭに格納されていたカバー２３Ｂの開要求フラグをクリアする。
【００３０】
次いで、制御部３０は、カバー２３Ａの開閉動作が一定時間実行できないように、カバー２３Ａの待ち時間設定処理を実行し（ステップＳ１２）、再びステップＳ１に戻る。
【００３１】
以上のように、カバー２３Ａ、或いはカバー２３Ｂの双方の開閉動作を指示するボタン２５Ａ，２５Ｂが、一定期間内、例えば、略同時に押下され指定された場合にも、カバー２３Ａ、又はカバー２３Ｂの何れか一方のカバー開閉動作が実行されると他方のカバーに対して待ち時間設定が行われることにより、略同時に開閉動作を実行することによりばらつきが生じることを防ぐことが出来ることとなって、記録再生装置の品位的なトラブルを避けることが実現する。また、ばらつきを防ぐために必要だった高精度の部品が不必要となって、製造のコストダウンが可能となる。
特に、カバー２３Ａ，２３Ｂが筐体の上面に設けられ、上下方向に移動するものでは、クランパの重量等による重力の影響を受けやすく、開閉動作の精度調整が困難であるため、本発明は特に有効である。
【００３２】
尚、上記実施の形態は、一例に過ぎず、適宜変更可能である。
例えば、上記ステップＳ１〜ステップＳ１２において、ボタン２５Ａ，２５Ｂの入力は、カバー２３Ａ，２３Ｂの開動作を指示する動作として説明を行ったが、カバー２３Ａ，２３Ｂの閉動作を指示する動作であってもよい。
【００３３】
また、制御部３０は、一方のカバー（例えば、２３Ａ）の開閉扉動作が終了したのをモータ駆動部３２から出力されるモータ３３の駆動終了信号により確認した後に、他方のカバー（例えば、２３Ｂ）の開閉扉動作の待ち時間設定を解除して、他方のカバーの開閉扉動作を可能に制御する構成であってもよい。
【００３４】
また、本発明にかかる記録再生装置の実施の形態の動作として図３（ａ）のねじりコイルバネ式の記録再生装置１００を用いてもよい。この場合、扉部材としてのカバー１３Ａを開くための係止部材１５の解除は、筐体１０側に設けられる係止部材として、制御部３０により動作が制御される電動モータ、ソレノイドの動作に従って行われることとする。また、ねじりコイルバネ１４は付勢手段として機能し、係止部材１５と、電動モータ、ソレノイド等とは、ロック機構部として機能し、制御部３０は、扉開制御手段として機能する。そして、ボタン１６Ａ，１６Ｂの双方が、所定の期間内、例えば、略同時に入力指定された場合、制御部３０は、一方のカバー（例えば、カバー１３Ａ）の係止部材１５の係合を解除して開扉動作を実行させ、一定時間が経過してからもう一方のカバー（例えば、カバー１３Ｂ）の係止部材１５の解除処理を行い、開扉動作を実行する構成であってもよい。また、この場合においても、制御部３０は、一方のカバー（例えば、カバー１３Ａ）の開扉動作が終了したことを図示しないセンサ等により確認した後に、もう一方のカバー（例えば、カバー１３Ｂ）の開扉動作が可能に係止部材１５の解除処理を実行する構成であってもよい。
【００３５】
また、本実施の形態における情報記録再生装置は、ＣＤ等のディスク等の記録媒体の他、カセット、ＭＤ、半導体メモリ等どのようなものであってもよいため、これらの情報記録媒体の挿入口の扉開閉構造は、図３（ａ）、（ｂ）に示した構造に限定されるものではない。例えば、扉部材としてのカバー、及び記録媒体の収納部、挿入口等は２つに限定されるものではなく、いくつであってもよい。
【００３６】
【発明の効果】
本発明によれば、任意の記録媒体を収納部が複数併設される記録再生装置において、一の扉の開指示がなされた場合に、扉部材開制御手段により、一の扉部材の開扉動作が実行されるとともに、一定時間若しくは当該一の扉部材の開扉動作が終了するまでの間、他の扉部材の開扉動作が禁止されるので、操作者により略同時に複数の扉部材の開指示が指定された場合でも、複数の扉部材の開扉動作が略同時に実行されることによる開動作のばらつきが露呈することを防ぐことが出来ることとなって、品位的なトラブルを回避できる。従って、品位的なトラブルを回避するための扉部材開閉機構部の各部品の精度を高めることによるコスト増を抑制することができる。
また、本発明によれは、複数の扉部材の開閉扉動作においても同様の効果を奏することが出来る。
【図面の簡単な説明】
【図１】本発明にかかる記録再生装置のカバーの開閉制御を行うためのブロック図である。
【図２】図１に示す扉開閉制御を説明するためのフローチャート図である。
【図３】図１に示す記録再生装置の要部構成を説明するための斜視図であって、（ａ）は、ねじりコイル式の構造を、（ｂ）は、電動ギア式の構造を示した図である。
【符号の説明】
１００，２００　記録再生装置
１０、２０　筐体
１０ａ、２０ａ　上面部
１１Ａ，１１Ｂ、２１Ａ，２１Ｂ　収納部
１２Ａ，１２Ｂ、２２Ａ，２２Ｂ　挿入口
１３Ａ，１３Ｂ、２３Ａ，２３Ｂ　カバー（扉部材）
１４　ねじりコイルバネ（扉部材開閉機構部、付勢手段）
１５　係止部材（ロック機構部）
１６Ａ，１６Ｂ、２５Ａ，２５Ｂ　ボタン（指示部）
２４ａ，２４ｂ　歯車（扉部材開閉機構部、第１ギア、第２ギア）
３０　制御部（扉部材開制御手段、扉部材開閉制御手段）
３３Ａ，３３Ｂ　モータ
【図１】
2004055029.tif 000003
【図２】
2004055029.tif 000004
【図３】
2004055029.tif 000005